(57)【要約】【課題】高い防水性を保持したまま、効率的な固定を可能とする方法、固定構造およびその方法に使用する固定治具を提案する。【解決手段】隣接配置する屋根板材の上ハゼに嵌合して屋根板材同士をつなぎ合わせる下ハゼ２を備え、該下ハゼ２の頂部に、上向きに開放され、かつ、屋根の軒から棟に向けて伸延する凹所６を形成してなる屋根板材につき、該凹所６の底壁部６ａとその直下に位置する屋根の下地材Ｓとを、止め付けねじ８を介して連結するに当たって、前記凹所６の底壁部６ａに、前記止め付けねじ８を保持するねじ保持部１１を設置して該ねじ保持部１１により前記下ハゼ２を屋根の下地材Ｓに向け押圧して極僅に弾性変形させるとともに、その変形状態した維持したまま該ねじ保持部１１を起点に止め付けねじ８をねじ込み、該止め付けねじ８のねじ込みを終えたならば、該ねじ保持部１１を取り外して該下ハゼ２を復元させる。【選択図】図１
2015158076.tif 000002
【特許請求の範囲】
【請求項１】
隣接配置する屋根板材の上ハゼに嵌合して屋根板材同士をつなぎ合わせる下ハゼを備え、該下ハゼの頂部に、上向きに開放され、かつ、屋根の軒側から棟側に向けて伸延する凹所を形成してなる屋根板材につき、該凹所の底壁部とその直下に位置する屋根の下地材とを、止め付けねじを介して連結する嵌合式屋根板材の固定方法において、
前記凹所の底壁部に、前記止め付けねじを保持するねじ保持部を設置して該ねじ保持部により前記下ハゼを屋根の下地材に向け押圧して極僅に弾性変形させるとともに、その変形状態した維持したまま該ねじ保持部を起点に止め付けねじをねじ込み、該止め付けねじのねじ込みを終えたならば、該ねじ保持部を取り外して該下ハゼを復元させることを特徴とする嵌合式屋根板材の固定方法。
【請求項２】
前記止め付けねじの頭部と前記ねじ保持部との間にクッション材を配置したことを特徴とする請求項１に記載した嵌合式屋根板材の固定方法。
【請求項３】
隣接配置する屋根板材の上ハゼに嵌合して屋根板材同士をつなぎ合わせる下ハゼを備え、該下ハゼの頂部に、上向きに開放され、かつ、屋根の軒側から棟側に向けて伸延する凹所を形成してなる屋根板材につき、該凹所の底壁部とその直下に位置する屋根の下地材とを、止め付けねじを介して連結する嵌合式屋根板材の固定構造であって、
前記止め付けねじの頭部直下にクッション材を設け、該止め付けねじのねじ込みを終えたのちの該下ハゼの復元によって該クッション材を該凹所の底壁部との相互間で挟持してなることを特徴とする嵌合式屋根板材の固定構造。
【請求項４】
請求項１または２に記載された固定方法に使用する嵌合式屋根板材の固定用治具であって、
前記下ハゼを両側に挟み込んで屋根板材の表面および屋根の下地材においてそれぞれ起立可能な一対の脚部と、この一対の脚部の各上端部につながる連結部材とを備え、
前記連結部材に、前記脚部の起立姿勢で前記下ハゼを屋根の下地材に向け押圧して極僅かに弾性変形させるとともに止め付けねじを着脱自在に保持するねじ保持部を設けたことを特徴とする嵌合式屋根板材の固定用治具。
【請求項５】
前記一対の脚部は、前記連結部材に直接つながる脚部本体と、該脚部本体の末端部にヒンジを介して回動可能に保持された接地片からなり、
前記脚部本体に、該脚部本体に沿ってスライド可能に保持され、先端部を該接地片に押し付けて該接地片を回動不能に支持するストッパーを設けたことを特徴とする請求項４に記載した嵌合式屋根板材の固定用治具。
【発明の詳細な説明】
【技術分野】
【０００１】
本発明は、屋根板材本体の幅端部の一方に設けられた下ハゼを、別途に隣接配置する屋根板材の上ハゼに嵌合させる一方、該屋根板材本体の幅端部の他方に設けられた上ハゼを、別途に隣接配置する他の屋根板材の下ハゼに嵌合させることによって屋根材同士を相互につなぎ合わせる嵌合式屋根板材につき、該屋根板材を、屋根の下地材に固定するための方法、その固定構造およびその方法に使用する固定用治具に関するものである。
【背景技術】
【０００２】
屋根板材本体の幅端部の一方に下ハゼを有し、該屋根板材本体の幅端部の他方に上ハゼを有する嵌合式の屋根板材は、上ハゼを、別途に隣接配置する屋根板材の下ハゼに嵌合させ、下ハゼを別途に隣接配置する屋根板材の上ハゼに嵌合させることによって屋根材同士のつなぎ合わせを可能とするものであって、吊子等を使って屋根板材同士のつなぎ合わせた瓦棒葺屋根の改修工事等に多用されている。
【０００３】
上記の下ハゼ、上ハゼは、いずれにおいても下側（下地材側）に向けて開放された凹所を形成する山形の断面形状からなっており、隣接配置する屋根板材の下ハゼ、上ハゼにそれぞれ嵌合させたのちにおいては、それらの嵌合状態が容易に解除されることがないよう側壁の対向位置には外側に向けて逆向きに張り出した係止顎部が形成されている。ここに、上ハゼと下ハゼとの嵌合は、上ハゼを下ハゼの頂部に位置せしめ、該上ハゼを下ハゼに向けて押圧することによって弾性変形させ、該上ハゼのスプリングバック力により該下ハゼを該上ハゼの内側に位置せしめることにより行われる。
【０００４】
一方、かかる構成からなる屋根板材の下地材への固定は、下ハゼの下端外縁部に形成されたフランジ部と屋根の下地材とを、止め付けねじを用いて連結しているのが普通である。ところで、屋根板材の幅方向の剛性を高め、暴風時に作用する負圧（屋根板材を屋根から剥離させようとする圧力）に対する抵抗力を向上させる場合においては、例えば、特許文献１にみられるように、下ハゼの頂部に止め付けねじの頭部を収納する凹所（凹条）を設け、この凹所の底壁部と、この底壁部の直下に位置する屋根の下地材とを直接止め付けねじにより相互間に連結しているところ（屋根の下地材が平坦な新築の屋根等）、この場合にあっては以下に述べるような不具合を有していた。
【先行技術文献】
【特許文献】
【０００５】
【特許文献１】登録実用新案第３０１４９０６号公報
【０００６】
すなわち、下ハゼの底壁部とその直下に位置する下地材とを連結する止め付けねじは、底壁部側から下地材に向けてインパクトドライバー等の高速回転式の電動工具を用いてねじ込んでいくが、該底壁部は何らの支えもないことから止め付けねじのねじ込み量が多くなるほど該底壁部が屋根の下地材側へ押し込まれていくため、止め付けねじのねじ込みを途中で止めて底壁部のねじ込み高さを一定に揃える必要がある。
【０００７】
しかし、底壁部のねじ込み高さの調整は、目分量で行われており、止め付けねじの締付け作業の作業効率を著しく低下させる原因になっている。また、その精度が悪いと、止め付けねじの頭部下面と底壁部との間に配置される防水パッキン等の締め込みが不足してその効果を十分に発揮させることができず、止め付けねじのねじ込みが過剰の場合には、下ハゼが大きく弾性変形することからその側壁の対向位置に設けられた係止顎部の張り出し幅が過大となり、隣接配置する屋根板材の上ハゼとの嵌合が困難になることがあった。
【発明の概要】
【発明が解決しようとする課題】
【０００８】
本発明の課題は、下ハゼの底壁部と屋根の下地材を止め付けねじで連結する場合に生じていた上述の如き不具合を生じることなしに効率的な作業のもとに屋根板材を固定できる方法、その固定構造およびその方法に使用する固定用治具を提案するところにある。
【課題を解決するための手段】
【０００９】
本発明は、隣接配置する屋根板材の上ハゼに嵌合して屋根板材同士をつなぎ合わせる下ハゼを備え、該下ハゼの頂部に、上向きに開放され、かつ、屋根の軒側から棟側に向けて伸延する凹所を形成してなる屋根板材につき、該凹所の底壁部とその直下に位置する屋根の下地とを、止め付けねじを介して連結する嵌合式屋根板材の固定方法において、前記凹所の底壁部に、前記止め付けねじを保持するねじ保持部を設置して該ねじ保持部により前記下ハゼを屋根の下地材に向けて押圧して極僅かに弾性変形させるとともに、その変形状態を維持したまま該ねじ保持部を起点に止め付けねじをねじ込み、止め付けねじのねじ込みを終えたならば、該ねじ保持部を取り外して該下ハゼを復元させることを特徴とする嵌合式屋根板材の固定方法である。
【００１０】
上記の構成からなる方法においては、止め付けねじの頭部と、ねじ保持部との間にクッション材を配置するのが好ましい。
【００１１】
また、本発明は、隣接配置する屋根板材の上ハゼに嵌合して屋根板材同士をつなぎ合わせる下ハゼを備え、該下ハゼの頂部に、上向きに開放され、かつ、屋根の軒側から棟側に向けて伸延する凹所を形成してなる屋根板材につき、該凹所の底壁部とその直下に位置する屋根の下地材とを、止め付けねじを介して連結する嵌合式屋根板材の固定構造であって、前記止め付けねじの頭部直下にクッション材を設け、該止め付けねじのねじ込みを終えたのちの該下ハゼの復元によって該クッション材を該凹所の底壁部との相互間で挟持してなることを特徴とする嵌合式屋根板材の固定構造である。
【００１２】
さらに、本発明は、上記の方法に使用する嵌合式屋根板材の固定用治具であって、下
ゼを両側に挟み込んで屋根板材の表面および屋根の下地材においてそれぞれ起立可能な一対の脚部と、この一対の脚部の各上端部につながる連結部材とを備え、該連結部材に、前記脚部の起立姿勢で下ハゼを屋根の下地に向けて押圧して極僅に弾性変形させるとともに底壁部から屋根の下地材に至るまでの間隔を一定に維持し、かつ、止め付けねじを着脱自在に保持するねじ保持部を設けたことを特徴とする嵌合式屋根板材の固定用治具である。
【００１３】
上記の構成からなる嵌合式屋根板材の固定用治具においては、一対の脚部を、連結部材に直接つながる脚部本体と、該脚部本体の末端部にヒンジを介して回転可能に保持された接地片からなり、脚部本体に、脚部本体に沿ってスライド可能に保持され、先端部を該接地片に押し付けて該接地片を回動不能に支持するストッパーを設けるのが好ましい。
【発明の効果】
【００１４】
本発明の屋根板材の固定方法によれば、ねじ保持部により底壁部から屋根の下地材に至るまでの間隔が一定に維持されるため、止め付けねじのねじ込みに際して止め付けねじの頭部がねじ保持部に到達すると止め付けねじはそれ以上ねじ込まれることがなくなり、底壁部のねじ込み高さは常に一定に保たれる。また、止め付けねじのねじ込みを終えてねじ保持部を取り外したのちにおいては下ハゼは初期形状へと復元するため、止め付けねじの頭部と下ハゼの底壁部との間に隙間が生じることはなく、止め付けねじの頭部と底壁部との間にクッション材が配置される場合には、クッション材の締め代を確保し得る。
【００１５】
本発明の屋根板材の固定方法によれば、止め付けねじの頭部とねじ保持部との間にクッション材（ゴム、樹脂、アスファルトの如き弾性部材）を配置したため、雨水の侵入を防止する防水パッキンあるいは疵の発生を防止するパッキンとして機能させることができる。
【００１６】
また、本発明の嵌合式屋根板材の固定構造によれば、止め付けねじの頭部直下にクッション材を設け、該止め付けねじのねじ込みを終えたのちの該下ハゼの復元によって該クッション材を該凹所の底壁部との相互間で挟持するようにしたため、クッション材の締め代を確保することが可能であり、止め付けねじの頭部と底壁部との間に隙間が生じたり疵がつくのを回避することができる。
【００１７】
また、本発明の嵌合式屋根板材の固定用治具によれば、該固定用治具を、下ハゼを両側に挟み込んで屋根板材の表面および屋根の下地材においてそれぞれ起立可能な一対の脚部と、この一対の脚部の各上端部につながる連結部材とを備えたもので構成し、連結部材に、前記下ハゼを屋根の下地材に向け押圧して極僅かに弾性変形させるとともに底壁部から屋根の下地材に至るまでの間隔を一定に維持し、かつ、止め付けねじを着脱自在に保持するねじ保持部を設けたため、止め付けねじのねじ込み量が一定化され、下ハゼの締め込み高さを揃えることができる。
【００１８】
さらに、本発明の嵌合式屋根板材の固定用治具によれば、一対の脚部を、連結部材に直接つながる脚部本体と、該脚部本体の末端部にヒンジを介して回動可能に保持された接地片とで構成し、脚部本体に、該脚部本体に沿ってスライド可能に保持され、先端部を該接地片に押し付けて該接地片を回動不能に支持するストッパーを設けたため、止め付けねじの確実なねじ込みを行えることができるとともに接地片の回動による脚部の折り畳みにて治具を簡便に取り外すことができる。
【図面の簡単な説明】
【００１９】
【図１】本発明に従う嵌合式屋根板材の正面を示した図である。
【図２】図１に示した嵌合式屋根板材の重ね合わせ状態を模式的に示した図である。
【図３】図１に示した嵌合式屋根板材の固定構造を模式的に示した図である。
【図４】固定治具の構成を示した外観斜視図である。
【図５】（ａ）（ｂ）は、本発明に従う嵌合式屋根板材の固定要領の説明図である。
【図６】（ａ）（ｂ）は、本発明に従う嵌合式屋根板材の固定要領の説明図である。
【図７】（ａ）（ｂ）は、本発明に従う嵌合式屋根板材の固定要領の説明図である。
【図８】（ａ）（ｂ）は、本発明に従う嵌合式屋根板材の固定要領の説明図である。
【発明を実施するための形態】
【００２０】
以下、図面を参照して、本発明をより具体的に説明する。
図１は、本発明の実施において使用する嵌合式屋根板材の正面を示した図であり、図２は、図１に示した嵌合式屋根板材の重ね合わせ状況を模式的に示した図であり、図３は、図１に示した嵌合式屋根板材の下ハゼの固定状況を示した図である。なお、ここで使用する嵌合式屋根板材は、隣接配置する屋根板材を含め全て同一の構成を有するものを適用する場合を前提としている。
【００２１】
図１〜３における符号１は、屋根の下地材Ｓの外表面に重ね合わさるように配置される屋根板材本体（軒〜棟方向の寸法Ｌ、桁行方向の寸法（幅寸法）Ｗは、屋根のサイズに応じて任意に変更されるものであり、以下、この屋根板材本体を底板と称することとする）、２は、底板１の一方の幅端部に一体的に設けられた下ハゼである。
【００２２】
下ハゼ２は、底板１の幅端部に一体的につながり外方斜め上方に向けて立ち上る傾斜壁部２ａと、この傾斜壁部２ａの上端部に一体的につながり上方に向けて膨出する頭部２ｂと、この頭部２ｂの幅端の下部に一体的につながる垂下壁２ｃと、この垂下壁２ｃの下端に一体的につながり下地材Ｓと平行に外方に向けて伸延するフランジ部２ｄから構成されている。
【００２３】
下ハゼ２は単一の板材を屈曲加工することにより形成することができるものであって全体として山形の断面形状をなしており、その内側には下側（下地材Ｓ側）に向けて開放された凹所Ｍが形成されている。
【００２４】
また、３は、屋根板材本体のもう一方の幅端部に設けられた上ハゼである。上ハゼ３は、屋根板材本体１の幅端部に一体的につながり外方斜め上方に向けて立ち上がる傾斜壁部３ａと、この傾斜壁部３ａの上端部に一体的につながり上方へ向けて膨出する頭部３ｂと、この頭部３ｂの幅端の下部に一体的につながる垂下片３ｃから構成されている。上ハゼ３も下ハゼ２と同様、単一の板材を屈曲加工することにより形成されるものであって全体として山形の断面形状をなしており、その内側には下側（下地材Ｓ側）に向けて開放された凹所Ｎが形成されている。
【００２５】
また、４ａ、４ｂは、下ハゼ２の頭部２ｂの側壁の対向位置に設けられた係止顎部である。この係止顎部４ａ、４ｂは、外側に向けて互いにそれぞれ逆向きに張り出した形状からなっている。また、５ａ、５ｂは、上ハゼ３の頭部３ｂの側壁の対向位置に設けられた係止顎部である。この係止顎部５ａ、５ｂは、外側に向けて互いにそれぞれ逆向きに張り出した形状からなっている。
【００２６】
６は、下ハゼ２の頭部２ｂの頂部に設けられ、屋根の軒から棟に向けて伸延する凹所である。この凹所６は、止め付けねじの頭部を収納する収納空間を形成するとともに下ハゼ２と上ハゼ３との相互間から雨水等が侵入した場合にその雨水等を軒側に流して屋外へ排出する樋として機能するものであって、底壁部６ａと、この底壁部６ａの幅端および頭部２ｂの頂部を相互に連結する側壁６ｂ、６ｃから構成されている。
【００２７】
７は下ハゼ２のフランジ部２ｄと屋根の下地材Ｓとを連結する止め付けねじ、８は、下ハゼ２の凹所６の底壁部６ａとその直下に位置する下地材Ｓを直接連結する止め付けねじである。止め付けねじ８は、それをねじ込む際の下ハゼ２の疵の発生防止あるいは防水効果を高めるため、その頭部直下にワッシャー８ａ、クッション部材８ｂが組み付けられている。なお、瓦棒葺屋根の改修工事等において、吊子等が存在する場合（図３の仮想線参照）には、底壁部６ａは、止め付けねじ８を介して吊子等に固定される。
【００２８】
上記の構成からなる屋根板材は、図３に示す如く、下ハゼ２を、隣接配置する屋根板材の上ハゼ３に嵌合させることにより屋根板材同士をつなぎ合わせることになるが、このとき下ハゼ２の係止顎部４ａ、４ｂが、隣接配置する屋根板材の上ハゼ３の内側で係止顎部５ａ、５ｂに強固に連係する。
【００２９】
屋根板材同士をつなぎ合わせるに際しては、まず、屋根板材の下ハゼ２を屋根の下地材Ｓに固定することになるが、その際には図４に示すような構成からなる固定治具を用いる。
【００３０】
図４における符号９は、下ハゼ２を幅方向の両側に挟み込んで屋根板材の表面（底板１）および屋根の下地材Ｓにおいてそれぞれ起立する一対の脚部、１０は、脚部９の各上端部につながる連結部材、１１は、連結部材１０の幅方向の中央部に設けられ、止め付けねじ８を保持するねじ保持部である。
【００３１】
脚部９としては、連結部材１０に直接つながる脚部本体９ａ、９ｂと、該脚部本体９ａ、９ｂの末端部にヒンジｈを介して回転可能に保持されたＬ字形状をなす接地片９ｃ、９ｄからなるものが適用される。
【００３２】
また、ねじ保持部１１としては、連結部材１０に一体連結して垂下保持される舌片１１ａと、この舌片１１ａの下端に一体連結され、凹所６の底壁部６ａに当接可能なプレート１１ｂからなるものが適用される。プレート１１ｂには、上下方向において止め付けねじ８のねじ部のみを通し、その頭部をプレート１１ｂの上面に当接させる切欠き部Ｐが形成されている。
【００３３】
さらに、図４における符号１２は、脚部本体９ａ、９ｂに設けられたストッパーである。このストッパー１２は、脚部本体９ａ、９ｂに沿い上下方向にスライド可能保持されており、その先端部を接地片９ｃ、９ｄに押し付けて該接地片９ｃ、９ｄを回動不能に支持するものである。
【００３４】
ストッパー１２としては、例えば、脚部本体９ａ、９ｂにそれぞれに起立姿勢で配置される押込みロッド１２ａ、１２ｂと、この押込みロッド１２ａ、１２ｂをスライド可能に保持するガイド１２ｃと、接地片９ｃ、９ｄの上面に設けられ、押込みロッド１２ａ、１２ｂの先端部（下端部）を入れ込んでその位置決めを行う位置決め部材１２ｄと、押込みロッド１２ａ、１２ｂを位置決め部材１２ｄに向けて弾性支持するばね部材１２ｅと、押込みロッド１２ａ、１２ｂを上端部において相互に連結するストレートナー１２ｆとによって構成されたものが適用される。なお、ストッパー１２の構造は適宜変更できるものであって、図示のものに限定されることはない。
【００３５】
上記の固定治具を用いて本発明に従う嵌合式屋根板材の固定構造を構成するべく屋根板材を屋根の下地材Ｓに固定するには、まず、屋根板材を、屋根の下地材Ｓの所定の部位に配置して止め付けねじ７にて下ハゼ２のフランジ部２ｄと屋根の下地材Ｓとを連結する。そして、図５（ａ）（ｂ）、図６（ａ）（ｂ）の手順にて固定治具を配置してねじ保持部１１を起点に止め付けねじ８をねじ込んでいけばよい。
【００３６】
この際、固定治具のねじ保持部１１から接地片９ｃ、９ｄの下面に至るまでの垂直距離を、凹所６の底壁部６ａから下地材Ｓに至るまでの垂直距離よりも若干低くなるように設定しておき、固定治具の接地片９ｃ、９ｄが、底板１、下地材Ｓにそれぞれ接触した状態で、図６（ａ）（ｂ）の仮想線の如く、下ハゼ２を弾性変形させて沈み込ませる（止め付けねじ８のねじ込みを終えた状態で、下ハゼ２を弾性変形したままの状態に保持しておく）。
【００３７】
止め付けねじ８のねじ込みを終えたのちにおいては、図７（ａ）（ｂ）に示すように、ストレートナー１２ｆを介して押込みロッド１２ａ、１２ｂを上方に向けてスライドさせて該押込みロッド１２ａ、１２ｂの先端部を位置決め部材１２ｄから引き抜き、その状態を維持したまま固定治具そのものを水平方向へ移動させる。
【００３８】
押込みロッド１２ａ、１２ｂの上方へのスライドにより、接地片９ｃ、９ｄは回動可能になるため、固定治具を水平方向へ移動させるとき接地片９ｃ、９ｄが回動して脚部９の長さが短縮され、止め付けねじ８がねじ込まれた状態にあっても固定治具を簡単に取り外すことができる。
【００３９】
固定治具の取り外しにより下ハゼ２は、図８（ａ）（ｂ）に示す如くねじ保持部１１のプレート１１ａの厚さ分だけ復元し、クッション材８ｂには、底壁部６ａによって押圧力が付与され、止め付けねじ８をねじ込む際に形成された貫通孔は封止させることとなり、とくに、クッション材８ｂが防水パッキンの場合には、貫通孔からの雨水等の侵入を確実に防止することができる。
【００４０】
クッション材８ｂとしては、合成樹脂製、ゴム、あるいはアスファルト含侵フェルト等、弾性変形量の大きな部材を用いることができる。
【００４１】
上記の固定治具では、ねじ保持部１１は、一定の高さに保持されているため、止め付けねじ８のねじ込み量はねじ保持部１１よって規制されることから、屋根板材の固定に当たっては下ハゼ２の高さを一定に保持することが可能となり、止め付けねじ８のねじ込み過大による不具合（下ハゼ２の底壁部のねじ込み高さの不揃い、係止顎部の張り出し過大による下ハゼ、上ハゼの嵌合不良）が生じることがない。また、止め付けねじ８のねじ込み量を設定する必要もないので屋根板材の効率的な取り付けが可能となる。
【００４２】
ねじ保持部１１の舌片１１ａについては、その長さを任意に変更できる構造を採用することも可能であり、これによれば、下ハゼ２の弾性変形量を適宜調整することができる利点がある。
【００４３】
本発明にしたがう屋根材は、厚さ０．４〜０．８ｍｍ程度の例えば、溶融亜鉛めっき鋼板やカラー鋼板等の防錆処理鋼板、あるいはステンレス鋼板、銅板、アルミニウム合金板、亜鉛板等を、ロール成形によって成形される定尺部材からなるものが適用される。
【００４４】
本発明に従う屋根板材を使用して建築構造物等の屋根を葺きあげるにあたっては、同じ屋根板材を複数枚用意し、これを、桁行方向、軒乃至棟方向に沿ってそれぞれつなぎ合わせる作業を繰り返していけばよい。
【産業上の利用可能性】
【００４５】
本発明によれば、効率的な施工が可能であり、雨水等の侵入を長期にわたって防止し得る嵌合式屋根板材の固定方法、その固定構造およびその方法に使用する固定治具が提供できる。
【符号の説明】
【００４６】
１      屋根板材本体（底板）
２      下ハゼ
２ａ    傾斜側壁
２ｂ    頭部
２ｃ    垂下壁
２ｄ    フランジ部
３      上ハゼ
３ａ    傾斜側壁
３ｂ    頭部
３ｃ    垂下壁
４ａ、４ｂ    係止顎部
５ａ、５ｂ    係止顎部
６      凹所
６ａ    底壁部
６ｂ、６ｃ    側壁部
７、８    止め付けねじ
９      脚部
９ａ、９ｂ    脚部本体
９ｃ、９ｄ    接地片
１０      連結部材
１１      ねじ保持部
１１ａ    舌片
１１ｂ    プレート
１２      ストッパー
１２ａ、１２ｂ    押込みロッド
１２ｃ      ガイド
１２ｄ      位置決め部材
１２ｅ      ばね部材
１２ｆ      ストレートナー
Ｓ      下地材
Ｍ      凹所
Ｎ      凹所
ｈ      ヒンジ
Ｐ      切欠き部
【図１】
2015158076.tif 000003
【図２】
2015158076.tif 000004
【図３】
2015158076.tif 000005
【図４】
2015158076.tif 000006
【図５】
2015158076.tif 000007
【図６】
2015158076.tif 000008
【図７】
2015158076.tif 000009
【図８】
2015158076.tif 000010